(57)【要約】  【課題】点灯装置42とランプ12との相互の熱的悪影響を低減できる天井埋込形照明器具11を提供する。  【解決手段】器具本体21の中央領域に設けた開口部26の周囲に、四角形環状のランプ12を配置する。器具本体21の開口部26とランプ12の口金16を有する辺13以外の辺13の内側との間で、ランプ12に対して上下方向に重ならない位置に、点灯装置42を配置する。点灯装置42とランプ12との相互の熱的悪影響を低減できる。  【選択図】図１
2005174899.tif 000002
【特許請求の範囲】
【請求項１】
中央領域に開口部が形成され、この開口部の周囲に多角形環状のランプが配置される器具本体と；
器具本体の開口部とランプとの間でランプに対して上下方向に重ならない位置に配置される点灯装置と；
を具備していることを特徴とする天井埋込形照明器具。
【請求項２】
中央領域に開口部が形成され、この開口部の周囲に多角形環状で１辺に口金を有するランプが配置される器具本体と；
器具本体の開口部とランプの口金を有する辺以外のいずれかの辺との間に配置される点灯装置と；
を具備していることを特徴とする天井埋込形照明器具。
【請求項３】
中央領域に開口部が形成され、この開口部の周囲に多角形環状のランプが配置される器具本体と；
器具本体の開口部とランプとの間でランプに対して上下方向に重ならない開口部の縁部に、開口部の縁部に沿った一端に電源入力側が配置されるとともに他端にランプ出力側が配置されて取り付けられた点灯装置と；
点灯装置の電源入力側で器具本体の開口部の縁部に取り付けられた電源端子台と；
点灯装置のランプ出力側で器具本体の開口部の縁部に取り付けられたランプソケットと；
を具備していることを特徴とする天井埋込形照明器具。
【請求項４】
電源端子台に器具本体の開口部の内方へ向けて電源線挿入孔を設けた
ことを特徴とする請求項３記載の天井埋込形照明器具。
【請求項５】
器具本体の開口部および点灯装置を覆って器具本体の中央領域に取り付けられ、周囲にランプが配置される天井付帯設備取付体を具備している
ことを特徴とする請求項１ないし３いずれか一記載の天井埋込形照明器具。
【発明の詳細な説明】
【技術分野】
【０００１】
本発明は、天井に埋め込む天井埋込形照明器具に関する。
【背景技術】
【０００２】
従来、天井に埋め込む天井埋込形照明器具としては、例えばＴバーをグリッド状に組んだシステム天井に設置される天井埋込形照明器具などが知られている。
【０００３】
このシステム天井用の天井埋込形照明器具では、直管形の蛍光ランプを用いた複数の器具本体を順送りに追い回すように配置して四角形枠状に構成されている。それら器具本体の内側間の中央域には天井埋込形照明器具の全体幅の１／３以上となる大きな開口部が形成されるため、この開口部を施工時に利用することで、システム天井への器具設置作業や器具側への電源線の配線作業などの施工性が容易になる。
【０００４】
そして、システム天井用の天井埋込形照明器具では、中央領域に大きな開口部が形成されるため、蛍光ランプを点灯させる点灯装置は、取り付けられる場所が限られてしまい、蛍光ランプに対して上方に重なる位置に配置されることが多い（例えば、特許文献１参照。）。
【特許文献１】特開平１−２３２６０４号公報（第２−３頁、第３−７図）
【発明の開示】
【発明が解決しようとする課題】
【０００５】
上述したように、システム天井用の天井埋込形照明器具では、中央領域に大きな開口部が形成されるため、点灯装置を取り付けられる場所が限られてしまい、点灯装置を蛍光ランプに対して上方に重なる位置に配置した場合には、蛍光ランプ点灯時において、蛍光ランプからの熱影響を点灯装置が受けて点灯装置の寿命が短くなったり、点灯装置からの熱影響で蛍光ランプの管壁温度が上昇してランプ効率が低下するなど、点灯装置と蛍光ランプとの間で相互に熱的悪影響が生じる問題がある。
【０００６】
本発明は、このような点に鑑みなされたもので、点灯装置とランプとの相互の熱的悪影響を低減できる天井埋込形照明器具を提供することを目的とする。
【課題を解決するための手段】
【０００７】
請求項１記載の天井埋込形照明器具は、中央領域に開口部が形成され、この開口部の周囲に多角形環状のランプが配置される器具本体と；器具本体の開口部とランプとの間でランプに対して上下方向に重ならない位置に配置される点灯装置と；を具備しているものである。
【０００８】
そして、器具本体の開口部とランプとの間でランプに対して上下方向に重ならない位置に点灯装置を配置したので、点灯装置とランプとの相互の熱的悪影響が低減される。
【０００９】
請求項２記載の天井埋込形照明器具は、中央領域に開口部が形成され、この開口部の周囲に多角形環状で１辺に口金を有するランプが配置される器具本体と；器具本体の開口部とランプの口金を有する辺以外のいずれかの辺との間に配置される点灯装置と；を具備しているものである。
【００１０】
そして、器具本体の開口部とランプの口金を有する辺以外のいずれかの辺との間に点灯装置を配置したので、ランプの口金の近傍に最冷部がある場合に点灯装置からの熱影響で最冷部が温度上昇するのが防止されるなど、点灯装置とランプとの相互の熱的悪影響が低減される。
【００１１】
請求項３記載の天井埋込形照明器具は、中央領域に開口部が形成され、この開口部の周囲に多角形環状のランプが配置される器具本体と；器具本体の開口部とランプとの間でランプに対して上下方向に重ならない開口部の縁部に、開口部の縁部に沿った一端に電源入力側が配置されるとともに他端にランプ出力側が配置されて取り付けられた点灯装置と；点灯装置の電源入力側で器具本体の開口部の縁部に取り付けられた電源端子台と；点灯装置のランプ出力側で器具本体の開口部の縁部に取り付けられたランプソケットと；を具備しているものである。
【００１２】
そして、器具本体の開口部とランプとの間でランプに対して上下方向に重ならない位置に点灯装置を配置したので、点灯装置とランプとの相互の熱的悪影響が低減される。さらに、器具本体の開口部の縁部には、器具本体の開口部の縁部に沿った一端に電源入力側を配置するとともに他端にランプ出力側を配置して点灯装置を取り付け、点灯装置の電源入力側に電源端子台を取り付け、点灯装置のランプ出力側にランプソケットに取り付けたので、電源端子台とランプソケットとが離れて配置され、ノイズの影響が低減される。
【００１３】
請求項４記載の天井埋込形照明器具は、請求項３記載の天井埋込形照明器具において、電源端子台に器具本体の開口部の内方へ向けて電源線挿入孔を設けたものである。
【００１４】
そして、電源端子台の電源線挿入孔が器具本体の開口部の内方へ向くので、電源線を開口部側から電源端子台の電源線挿入孔に容易に挿入接続可能になる。
【００１５】
請求項５記載の天井埋込形照明器具は、請求項１ないし３いずれか一記載の天井埋込形照明器具において、器具本体の開口部および点灯装置を覆って器具本体の中央領域に取り付けられ、周囲にランプが配置される天井付帯設備取付体を具備しているものである。
【００１６】
そして、器具本体の開口部とともに点灯装置を覆い、周囲にランプが配置される天井付帯設備取付体を器具本体の中央領域に取り付けたため、ランプの内側空間を天井付帯設備の取り付けに有効利用可能になる。
【発明の効果】
【００１７】
請求項１記載の天井埋込形照明器具によれば、器具本体の開口部とランプとの間でランプに対して上下方向に重ならない位置に点灯装置を配置したので、点灯装置とランプとの相互の熱的悪影響を低減できる。
【００１８】
請求項２記載の天井埋込形照明器具によれば、器具本体の開口部とランプの口金を有する辺以外のいずれかの辺との間に点灯装置を配置したので、ランプの口金の近傍に最冷部がある場合に点灯装置からの熱影響で最冷部が温度上昇するのを防止できるなど、点灯装置とランプとの相互の熱的悪影響を低減できる。
【００１９】
請求項３記載の天井埋込形照明器具によれば、器具本体の開口部とランプとの間でランプに対して上下方向に重ならない位置に点灯装置を配置したので、点灯装置とランプとの相互の熱的悪影響を低減できる。さらに、器具本体の開口部の縁部には、器具本体の開口部の縁部に沿った一端に電源入力側を配置するとともに他端にランプ出力側を配置して点灯装置を取り付け、点灯装置の電源入力側に電源端子台を取り付け、点灯装置のランプ出力側にランプソケットに取り付けたので、電源端子台とランプソケットとを離して配置でき、ノイズの影響を低減できる。
【００２０】
請求項４記載の天井埋込形照明器具によれば、請求項３記載の天井埋込形照明器具の効果に加えて、電源端子台の電源線挿入孔が器具本体の開口部の内方へ向くので、電源線を開口部側から電源端子台の電源線挿入孔に容易に挿入接続できる。
【００２１】
請求項５記載の天井埋込形照明器具によれば、請求項１ないし３いずれか一記載の天井埋込形照明器具の効果に加えて、器具本体の開口部とともに点灯装置を覆い、周囲にランプが配置される天井付帯設備取付体を器具本体の中央領域に取り付けたので、ランプの内側空間を天井付帯設備の取り付けに有効利用できる。
【発明を実施するための最良の形態】
【００２２】
以下、本発明の一実施の形態を図面を参照して説明する。
【００２３】
図１ないし図３に第１の実施の形態を示し、図１は天井埋込形照明器具の天井付帯設備取付体を断面にした底面図であり、図２は天井埋込形照明器具の拡大断面図であって、(a)は図１のＡ−Ａ断面図、(b)は図１のＢ−Ｂ断面図であり、図３は天井埋込形照明器具の組立状態の底面図である。
【００２４】
図１ないし図３において、天井埋込形照明器具11は、例えばＴバーをグリッド状に組んだシステム天井に設置される天井埋込形照明器具であって、多角形環状のランプとして四角形環状（正方形環状）のランプ12を使用する。このランプ12は、管径が１５ｍｍ〜１８ｍｍの蛍光ランプであり、直線状の４つの辺13およびこれら４つの辺13の端部間を略直角に接続する４つの角部14を有する四角形環状に形成された発光管15、およびこの発光管15の一辺中央で発光管15の両端を接続するとともに近傍に最冷部が形成されている口金16を備え、この口金16の内周面側には発光管15の両端に設けられる図示しない電極に接続された図示しない接続ピンが突設されている。
【００２５】
このような管径のランプ12においては、ランプ電流が大きいので、電極からの距離が遠い発光管15部分であっても管壁温度が高くなる。したがって、電極からの距離が遠い発光管15部分であっても最冷部が形成されにくくなっている。ゆえに本実施の形態においては、口金16の一端側の電極を他端側の電極よりも口金16からの離間寸法が大きくなるように設定し、いわゆるフィラメントハイマウント構造とすることで、この一端側の電極と口金16との間で発光管15の管壁温度が最も低くなる最冷部を形成し、効率が最適になるように設定されている。
【００２６】
天井埋込形照明器具11は、器具本体21を有し、この器具本体21は、下面を開口した四角形箱状に形成されており、四角形状の天板部23、この天板部23の周縁部から下方へ折曲形成された側板部24、およびこの側板部24の下端周囲に略Ｌ字状に折曲形成された枠部25を備えている。この器具本体21の枠部25の外形寸法は、システム天井のＴバーによって四方が囲まれた埋込開口の内寸よりも小さく形成されている。
【００２７】
天板部23の中央領域には四角形状の開口部26が開口形成され、この開口部26の縁部から下方へ折曲部27が折曲形成されている。この開口部26の幅は、一方の相対して対向する縁部間の幅、および他方の相対して対向する縁部間の幅ともに、器具本体21の全体幅の１／３以上の寸法に形成されている。開口部26の一辺の縁部は開口部26の他の縁部に比べて開口幅が少なく、その開口部26の一縁部に点灯装置取付部23aが形成されている。
【００２８】
天板部23の一方の相対する平行な辺には、制光体取付用の複数の長孔28が形成されている。器具本体21の一方の相対する平行な辺に位置する両側板部24の外面両端近傍にはＴバーに取り付けるための取付部29が取り付けられている。
【００２９】
器具本体21内の中央領域には、開口部26の下面側を覆う天井付帯設備取付体31が天板部23の下面にねじ止めなどによって着脱可能に取り付けられている。この天井付帯設備取付体31は、例えば、天井構造材、透光板および天井カバーなどの天井付帯設備や、スピーカ、人感センサ、空調機器、非常灯、ダウンライトおよびカメラなどの天井付帯設備を取り付けるもので、本実施の形態では天井付帯設備として天井カバー32の例を示す。すなわち、天井付帯設備取付体31は、上面を開口した四角形箱状に形成されており、四角形状の天井カバー32、この天井カバー32の周縁部から上方へ折曲形成された側面部33、これら側面部33に器具本体21の天板部23の下面に接合されてねじ止めする取付片34が形成されている。そして、天井カバー32以外の天井付帯設備を組み合わせる場合には、天井カバー32の部分などに各天井付帯設備が設置された天井付帯設備取付体31が器具本体21に取り付けられる。
【００３０】
器具本体21の天板部23と側板部24と天井付帯設備取付体31の側面部33との間には、下面を開口した四角形環状のランプ収容部37が形成され、このランプ収容部37にランプ12が収容配置される。
【００３１】
また、器具本体21の天板部23の下面で、開口部26の一辺の縁部である点灯装置取付部23aにはこの開口部26の縁部に沿った一端に電源入力側40を配置するとともに他端にランプ出力側41を配置した点灯装置42が取り付けられ、点灯装置42の電源入力側40で点灯装置42が取り付けられた開口部26の一辺に交差する辺の縁部に電源端子台43が取り付けられ、点灯装置42のランプ出力側41で電源端子台43が取り付けられた開口部26の辺に相対する辺の縁部にランプ12の口金16を接続するとともにランプ12の口金16を着脱可能に保持するランプホルダとして兼用するランプソケット44が取り付けられている。点灯装置42および電源端子台43は、天井付帯設備取付体31の内側に配置されて開口部26とともに覆われている。
【００３２】
したがって、点灯装置42は、器具本体21の開口部26とランプ12の口金を有する辺13に対して交差する一方の辺13の内側との間でランプ12に対して上下方向に重ならない位置に配置されている。
【００３３】
点灯装置42は、ランプ12を高周波点灯させるインバータ点灯回路を有し、このインバータ点灯回路の電源入力側40と電源端子台43との間に図示しない入力線が接続され、インバータ点灯回路のランプ出力側41とランプソケット44との間に図示しない出力線が接続されている。
【００３４】
電源端子台43は、開口部26内に臨む折曲部27に取り付けられ、下面に点灯装置42からの入力線が挿入接続される入力線挿入孔47が設けられ、開口部26の内方へ臨む側面に天井側から引き込まれる電源線を接続する電源線挿入孔48が設けられており、入力線挿入孔47に挿入接続される入力線と電源線挿入孔48に挿入接続される電源線とが電気的に接続される。
【００３５】
ランプソケット44は、天板部23に形成された取付孔51を貫通して取り付けられ、ランプ収容部37に突出するランプソケット44の先端に、ランプ12の口金16を着脱可能に保持する断面略Ｕ字形のランプホルダ部52が形成されているとともに、このランプホルダ部52の基部に口金16から突出する接続ピンが差し込み接続されるソケット部53が形成されている。また、天板部23の上方に突出するランプソケット44の基端部に、点灯装置42からの出力線が挿入接続される図示しない出力線挿入孔が開口部26の方向に臨んで設けられ、出力線挿入孔に挿入接続された出力線とソケット部53とが電気的に接続される。
【００３６】
また、器具本体21のランプ収容部37に臨む天板部23には、ランプ12の発光管15の角部14を着脱可能に保持するランプ保持手段としての複数のランプホルダ56が取り付けられている。本実施の形態では、ランプ12の口金16が設けられた辺13に相対して平行な辺13の両端の角部14の２箇所に対応して、２つのランプホルダ56が取り付けられている。各ランプホルダ56は、弾性を有する板ばね材で形成され、一端には天板部23の下面にねじ止め固定される取付部57が形成され、他端には器具本体21の側方へ向けて開口する断面略Ｕ字形でランプ12の発光管15の角部14に係合するホルダ部58が形成されている。
【００３７】
また、器具本体21のランプ収容部37の下面には四角形枠状の制光体61が取り付けられている。この制光体61は、四角形枠状の枠体62を有し、この枠体62の四隅位置にはランプ12の角部14の位置に対応して透光板63が配置され、枠体62の辺位置であってランプ12の辺13に対応する位置には下方へ向けて拡開してランプ12の光を下方へ反射させる一対の反射板64およびこれら反射板64の開口間に架設された複数のルーバ65が配置されている。枠体62の縁部には器具本体21の各長孔28に係合して制光体61を器具本体21に引き上げる取付ばね66が取り付けられている。
【００３８】
そして、天井埋込形照明器具11をシステム天井に施工するには、システム天井のＴバーで囲まれる埋込開口からシステム天井に配線されている電源線を引き込み、器具本体21を持ち上げながら電源線を開口部26に通し、器具本体21を取付部29が突設されている一方の側板部24から埋込開口に挿入してＴバーの上方域へ通過させ、Ｔバーの上方へ通過させた器具本体21を埋込開口上に位置合わせして下降させ、各取付部29をＴバー上に載置して取り付けることにより、器具本体21の枠部25が埋込開口の内周に嵌合する。
【００３９】
器具本体21の開口部26に通した電線の先端を電源端子台43の電源線挿入孔48に挿入接続する。このとき、電源端子台43の電源線挿入孔48が器具本体21の開口部26の内方へ向くため、電源線を開口部26側から電源端子台43の電源線挿入孔48に容易に挿入接続できる。
【００４０】
最後に、器具本体21のランプ収容部37の下面に制光体61を取り付ける。
【００４１】
このように構成された天井埋込形照明器具11では、器具本体21の中央領域に器具本体21の全体幅の１／３以上の幅の開口部26を設けているため、システム天井への施工時には、その開口部26を利用することで、器具本体21の設置作業や、電源線を開口部26に通して開口部26の縁部に取り付けられた電源端子台43に接続する配線作業などを容易にでき、手間や時間がかからず、施工性を向上できる。
【００４２】
また、器具本体21の開口部26とランプ12の内側との間でランプ12に対して上下方向に重ならない位置に点灯装置42を配置したので、点灯装置42とランプ12との相互の熱的悪影響を低減できる。すなわち、点灯装置42がランプ12の上方に位置する場合のようにランプ12からの熱影響を受けて寿命が短くなるのを低減でき、さらに、点灯装置42がランプ12の口金を有する辺13に対して交差する一方の辺13の内側に配置したので、ランプ12の口金16の近傍に形成されている最冷部が点灯装置42からの熱影響を受けにくくなり、ランプ12の光束を確保できる。
【００４３】
また、器具本体21の開口部26の縁部には、器具本体21の開口部26の縁部に沿った一端に電源入力側40を配置するとともに他端にランプ出力側41を配置して点灯装置42を取り付け、点灯装置42の電源入力側40に電源端子台43を取り付け、点灯装置42のランプ出力側41にランプソケット44に取り付けているため、電源端子台43とランプソケット44とを離して配置でき、点灯装置42のインバータ回路の高周波出力がノイズとしてランプソケット44から電源端子台43に接続される電源線に重畳されるのを防止でき、ノイズの影響を低減できる。
【００４４】
また、器具本体21の開口部26、点灯装置42および電源端子台43を覆い、周囲にランプ12が配置される天井付帯設備取付体31を器具本体21の中央領域に取り付けたため、ランプ12の内側空間および器具本体21の開口部26を用いることで、各種の天井付帯設備の取り付けに有効利用できる。すなわち、天井付帯設備として非常灯、ダウンライトおよびカメラなどの異機種の機器を設ける場合であっても、器具本体21の開口部26から異機種の機器が突出するように設けることが可能であるので、天井付帯設備の設置／選択の自由度が大きくなる。また、器具本体21も、天井付帯設備に左右されることがないので、薄型化が可能となる。
【００４５】
また、図４および図５の第２の実施の形態に示す。
【００４６】
図５(a)(b)に示すように、天井埋込形照明器具11を設置するシステム天井に用いられるＴバー71には複数の種類があるが、いずれも下部72と上部73とが幅広に形成されるとともに下部72の幅が上部73の幅より広い断面略逆Ｔ字形に形成されている。
【００４７】
図４に示すように、器具本体21の枠部25は、器具本体21の側板部24から断面略Ｌ字形で、先端に立上部25aを有しており、この枠部25の外形寸法がシステム天井のＴバー71によって四方が囲まれた埋込開口74の内寸よりも小さく形成されている。
【００４８】
器具本体21の一方の相対する平行な辺に位置する両側板部24にＴバー71に取り付けるための取付部29が取り付けられ、この取付部29にはＴバー71の上部73に係合する係合溝77が形成されている。さらに、取付部29の係合溝77がＴバー71の上部73に係合することにより、Ｔバー71に係合して係合状態を保持する固定ばね78が器具本体21に取り付けられている。
【００４９】
そして、器具本体21を埋込開口74に埋め込む際には、器具本体21を形状が埋込開口74の形状に合うようにして、器具本体21を取付部29が突設されている一方の側板部24を上方へ向けて埋込開口74内に挿入するとともに埋込開口74の一辺のＴバー71の上方域へ挿入し、器具本体21の取付部29が突設されている他方の側板部24を埋込開口の内側域まで移動させた後に他方の側板部24側を上方へ移動させて埋込開口74の上方つまりＴバー71の上方へ通過させ、この器具本体21を埋込開口74上に位置合わせして下降させ、各取付部29の係合溝77をＴバー71の上部73に係合させて取り付ける。これにより、器具本体21の枠部25が埋込開口74の内周に嵌合する。
【００５０】
このように、器具本体21の枠部25の外形寸法を埋込開口74の内寸よりも小さくし、器具本体21の一方の相対する平行な辺に位置する両側板部24に取付部29を取り付けることにより、器具本体21を取付部29が突設されている一方の側板部24から埋込開口74内に挿入してＴバー71の上方域へ通すことができ、システム天井のＴバー71とこのＴバー71の上方の天井構造物との隙間が少なくても器具本体21を設置することができる。
【００５１】
また、器具本体21の枠部25の立上部25aが埋込開口74の内周つまりＴバー71の下部72の内周に嵌合するため、各種のＴバー71に対して設置でき、天井埋込形照明器具11を共通化できる。
【００５２】
また、図４には天井付帯設備取付体31に、天井付帯設備として例えば天井面と同一素材の天井構造材32aを取り付けた例を示す。
【００５３】
なお、ランプとしては、四角形環状のランプ12に限らず、例えば五角形以上の多角形環状でもよく、さらに、２本の発光管15が平行に配置される二重管構造でもよく、これらの場合にも上述した構造を適用することにより、同様の作用効果が得られる。
【００５４】
また、点灯装置42は、ランプ12の口金を有する辺13に対して交差する一方の辺13の内側に配置したが、他方の辺13の内側や、ランプ12の口金を有する辺13に対して反対側の辺13の内側に配置してもよく、同様の作用効果が得られる。
【００５５】
また、器具本体21をＴバー71に取り付ける取付部29や固定ばね78などのＴバー用取付部は、ランプ12の口金側とその反対側とに対応した方向の器具本体21の両側位置に設けてもよく、この場合、ランプ交換時にランプソケット44やランプホルダ56を通じて器具本体21に力が加わっても、器具本体21ががたついたり位置ずれするのを防止でき、ランプ12の着脱性を向上できる。
【図面の簡単な説明】
【００５６】
【図１】本発明の第１の実施の形態を示す天井埋込形照明器具の天井付帯設備取付体を断面にした底面図である。
【図２】同上天井埋込形照明器具の拡大断面図であって、(a)は図１のＡ−Ａ断面図、(b)は図１のＢ−Ｂ断面図である。
【図３】同上天井埋込形照明器具の組立状態の底面図である。
【図４】本発明の第２の実施の形態を示す天井埋込形照明器具の一部を省略した断面図である。
【図５】同上天井埋込形照明器具を設置するシステム天井のＴバーの種類を(a)(b)に示す断面図である。
【符号の説明】
【００５７】
11    天井埋込形照明器具
12    ランプ
13    辺
16    口金
21    器具本体
26    開口部
31    天井付帯設備取付体
40    電源入力側
41    ランプ出力側
42    点灯装置
43    電源端子台
44    ランプソケット
48    電源線挿入孔
【図１】
2005174899.tif 000003
【図２】
2005174899.tif 000004
【図３】
2005174899.tif 000005
【図４】
2005174899.tif 000006
【図５】
2005174899.tif 000007